(57)【特許請求の範囲】
【請求項１】
筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに後面の開口部から係止部材を腕杆の後端部に当接するように筐体に挿入し、そして後面の開口部に裏蓋を係止部材に当接するように取り付けることによって、係止部材を回動可能又は摺動可能な状態に組み立てて成り、腕杆は、後端部に係合部を設けて成り、係止部材は、支持体の内部に位置する係止部と外部から操作可能な操作部を設けると共に、腕杆の後端部に当接したままの状態で回動可能又は摺動可能に設けて成り、係止部材の操作部を操作することによって係止部は回動又は摺動して係合部と係脱可能となり、腕杆の係合部と係止部材の係止部は、少なくともいずれか一方を複数設けて、腕杆を複数の角度位置に変更することができることを特徴とする物干装置。
【発明の詳細な説明】
【技術分野】
【０００１】
本発明は、窓の両側壁面等に取り付けて、物干竿を挿通して使用する物干装置に関するものである。
【背景技術】
【０００２】
従来より、特願２００７−１２２３９０号（特開２００８−２７２３５４号）発明が提案されており、この従来例においては、台座１４の開口部２０からアーム部材３６を取付部１６の建築物１２側の面から差し込み、台座１４の開口部２０からスペーサ２６を入れ、アーム部材３６の連結部４２にスペーサ２６を取り付ける。これにより、アーム部材３６の軸部４４は、台座１４のスペーサ収容部２４とスペーサ２６の軸部収容部３４で囲まれた範囲内で移動できるように、アーム部材３６は、台座１４に取り付けられるものである。
【０００３】
また、特願平３−２３２８５号（特開平４−２６１９５３号）発明が提案されており、この従来例においては、手摺１（物干竿として使用）を軸９ａで支持部９内で回動可能に支持され、支持部９内部にストッパピン１１が軸１１ａに軸支されている。そして、ストッパピン１１の係合爪１１ｂと手摺１基端部の係合部１ｃとが係合・解除できるようになっている。
【先行技術文献】
【特許文献】
【０００４】
【特許文献１】特開２００８−２７２３５４号公報
【特許文献２】特開平４−２６１９５３号公報
【発明の概要】
【発明が解決しようとする課題】
【０００５】
上記特許文献１記載の従来例においては、アーム部材３６を台座１４の中で移動させてその角度を変える構造であるが、その移動のさせ方がアーム部材３６を単に回動させるだけではなく、軸部４４をずらしてから回動する必要があり複雑でその操作が難しいという問題があり、上記特許文献２記載の従来例においては、手摺１と軸９ａ、ストッパピン１１と軸１１ａをそれぞれ順に組み立てなければならず、部品数が多く組立に時間がかかりコストが高くなるし軸が露出して外観が悪いという問題があり、本発明は、これらの問題を解決することを課題としている。
【課題を解決するための手段】
【０００６】
本発明は、上記の課題を解決するための物干装置であり、筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに後面の開口部から係止部材を腕杆の後端部に当接するように筐体に挿入し、そして後面の開口部に裏蓋を係止部材に当接するように取り付けることによって、係止部材を回動可能又は摺動可能な状態に組み立てて成り、腕杆は、後端部に係合部を設けて成り、係止部材は、支持体の内部に位置する係止部と外部から操作可能な操作部を設けると共に、腕杆の後端部に当接したままの状態で回動可能又は摺動可能に設けて成り、係止部材の操作部を操作することによって係止部は回動又は摺動して係合部と係脱可能となり、腕杆の係合部と係止部材の係止部は、少なくともいずれか一方を複数設けて、腕杆を複数の角度位置に変更することができることを特徴とする物干装置である。
【発明の効果】
【０００７】
以上のように本発明によれば、係止部材を操作して腕杆を回動すれば角度位置を変更することができるので、軸をずらすことがなくその操作が簡単でわかりやすく、なおかつ組立も簡単であり、低コストで外観も良好であるという効果がある。
【図面の簡単な説明】
【０００８】
【図１】実施例１の腕杆が水平の使用状態を示す側面図である。
【図２】実施例１の腕杆が水平の使用状態を示す要部拡大断面図である。
【図３】実施例１の係止部材を操作して係止部と係合部を離脱させた状態の要部拡大断面図である。
【図４】実施例１の全体分解斜視図である。
【図５】実施例１の腕杆が上向きの使用状態を示す要部拡大断面図である。
【図６】実施例１の腕杆が下向きの使用状態を示す要部拡大断面図である。
【図７】実施例２の腕杆が水平の使用状態を示す要部拡大断面図である。
【図８】実施例２の係止部材を操作して係止部と係合部を離脱させた状態の要部拡大断面図である。
【実施例１】
【０００９】
図１〜図６に基づいて本発明の実施例１を説明する。
本発明の物干装置は、窓の両側壁面等に固定される支持体１に、腕杆２を回動可能に取り付けると共に、腕杆２の下方への回動を不能にする係止部材３を回動可能に取り付けてある。
【００１０】
支持体１は、全体を金属で製してあり、略直方体で前面と後面に開口部１５・開口部１６を設けてある筐体８を有している。筐体８の両側の側板１１・１１は、上板９及び底板１０よりも少し前方に突出し、その内面には、中間部に相対向するように、後面の開口部１６に開放し前方に向かって徐々に幅が狭くなっていき前面の開口部１５の手前で円弧状になっている凹溝状の軸受部１２・１２を設けると共に、下部に相対向するように、後面の開口部１６に開放している略円弧状で凹溝状の軸受部１３・１３を設けてある。また、底板１０の基端部には、孔１４を設けてある。
【００１１】
腕杆２は、全体を金属で製してあり、複数の竿受部１８・・・１８を設けると共に、基端部両面に水滴状で厚さ方向に突出する軸部１９・１９を設け、基端縁には、ラチェット用の歯車溝である複数の係合部１７・・・１７を設け、一側面に、ラチェット用の歯車の先端面と略同一面に、腕杆２の回動中心を中心とする円弧状の摺接部２５を設けてある。摺接部２５は、係合部１７・・・１７を挟むように両側面に設けてもよい。また、腕杆２の基端部両面には、軸部１９の部分を切り欠いた扇形状で合成樹脂製のスペーサー６・６を取り付けてある。このスペーサー６・６は、腕杆２が回動する時に、金属製の支持体１と腕杆２との間に位置し、摩擦を軽減し消音するためのものである。
【００１２】
係止部材３は、略三日月形状でその略中央に両側外面に突出する円柱状の軸部２０・２０を設け、上部前面にラチェット用の歯車突起である２つの係止部２１・２１を上下に設けると共に、下端部に支持体１の筐体８から突出する操作部２２を設けてある。なお、操作部２２は、筐体８から突出していなくても、支持体１の外部から操作することができるものであればよい。
【００１３】
裏蓋５は、縦長板状の前面に縦方向に２条の突条２３・２３を間隔をあけて設けてあり、支持体１の後面にねじ７・７で上下部を固定され、開口部１６を塞ぐものである。
【００１４】
本実施例の物干装置の組立方法を説明する。
スペーサー６・６を取り付けた腕杆２の先端を、支持体１の後面の開口部１６から挿入し、基端部の軸部１９・１９を凹溝状の軸受部１２・１２の先端に当接させて、腕杆２を支持体１前面の開口部１５から突出させた状態にする。腕杆２は、水滴状の軸部１９・１９が軸受部１２・１２の上下端に当接する範囲内（図５の状態から図６の状態までの範囲内）で回動が可能な状態である。
【００１５】
次に、係止部材３を支持体１の後面の開口部１６から挿入し、軸部２０・２０を凹溝状の軸受部１３・１３の先端に当接させると共に、操作部２２を支持体１の筐体８の底板１０に設けた孔１４から突出させる。そして、係止部材３前面の係止部２１・２１を、腕杆２のいずれか２箇所の係合部１７・１７に係合させ、係止部材３上部後面にばね４を当接させて、そのばね４を縮めるようにして裏蓋５を、後面の開口部１６にねじ７・７で固定する。すると、係止部材３の前面が腕杆２の後端縁に当接し、裏蓋５の突条２３・２３が係止部材３の軸部２０・２０に当接する状態になる。この状態では、軸部２０・２０は軸受部１３・１３の中に収納されることになり、係止部材３は、支持体１の中で軸部２０・２０を中心に回動が可能な状態となる。
【００１６】
本実施例の物干装置を使用するには、以上のように腕杆２が取り付けられた支持体１を、窓の両側壁面等に２つ一組にして固着して、それぞれの竿受部１８・・・１８に物干竿を挿架すればよい。
【００１７】
腕杆２の角度位置を変更するには、操作部２２を上方へ押して係止部材３をばね４に抗して後方へ回動させ、係止部２１・２１を腕杆２の係合部１７・１７から離脱させ（図３の状態）、腕杆２を上方又は下方へ回動させて係止部材３をばね４の力で戻して、係止部２１・２１を腕杆２の別の係合部１７・１７に係止させればよい（図５や図６の状態）。腕杆２は、その摺接部２５が係止部材３に摺接しながら回動するので、その動きがスムーズである。なお本実施例では、図２と図６の中間の角度位置にも腕杆２を設定することができるようになっている。また、本実施例では、腕杆２の係合部１７・１７と係止部材３の係止部２１・２１は、ラチェット機構になっており、腕杆２を上方へ回動すると、係止部材３はばね４の力に抗して後方へ回動して係合部１７・１７と係止部２１・２１との係合は外れるようになっているので、腕杆２を上方へ角度位置を変更するには、単に腕杆２を上方へ回動するだけでよい。
【実施例２】
【００１８】
図７〜図８に基づいて本発明の実施例２を説明する。
この実施例では、支持体３１に係止部材３３を上下に摺動可能に取り付けてあり、係止部材３３の係止部３８が腕杆３２の係合部３７に係合している状態（図７の状態）から、支持体３１に設けた孔３６から突出している操作部３９を押して、ばね３４の力に抗して係止部材３３を上方へ移動させると、係止部３８が係合部３７から離脱し、腕杆３２が回動できる状態（図８の状態）となるようになっている。
【００１９】
この実施例２の物干装置の組立方法については、実施例１と同様に腕杆３２を先端から支持体３１の後面から挿入し、係止部材３３を、その上端に取り付けたばね３４と共に支持体１の後面から挿入し、操作部３９を支持体３１の孔３６から突出させ、縦長板状の裏蓋３５を、支持体３１の後面にねじで固定するものである。すると、係止部材３３の前面が腕杆３２の後端縁に当接し、裏蓋３５の前面が係止部材３３の後面に当接する状態となり、係止部材３３が支持体３１の中で上下に摺動可能な状態となる。その他の構造は、実施例１とほぼ同様であるので省略する。
【符号の説明】
【００２０】
１    支持体
２    腕杆
３    係止部材
５    裏蓋
８    筐体
９    上板
１０    底板
１１    側板
１５    開口部
１６    開口部
１７    係合部
１８    竿受部
２１    係止部
３１    支持体
３２    腕杆
３３    係止部材
３５    裏蓋
３７    係合部
３８    係止部
【図１】
0005630780.tif 000002
【図２】
0005630780.tif 000003
【図３】
0005630780.tif 000004
【図４】
0005630780.tif 000005
【図５】
0005630780.tif 000006
【図６】
0005630780.tif 000007
【図７】
0005630780.tif 000008
【図８】
0005630780.tif 000009